(57)【要約】【課題】  その目的とするところは高級感とプリンター印字適性と筆記適性を有する紙カードを提供することにある。【解決手段】  同じ大きさの第一紙基材と、第二紙基材が積層された紙カードであって、前記第一紙基材は、紙基材の表面にコート層を備え、前記コート層の表出面にオフセット印刷された固定情報を備え、前記第二紙基材は、非コート紙からなり、表出面にプリンターで印字された可変情報を備えていることを特徴とする紙カードである。【選択図】        図１
2017007186.tif 000002
【特許請求の範囲】
【請求項１】
同じ大きさの第一紙基材と、第二紙基材が積層された紙カードであって、
前記第一紙基材は、紙基材の表面にコート層を備え、前記コート層の表出面にオフセット印刷された固定情報を備え、
前記第二紙基材は、非コート紙からなり、表出面にプリンターで印字された可変情報を備えていることを特徴とする紙カード。
【請求項２】
前記第二紙基材の表出面に印字された前記可変情報がバーコード及び管理番号からなるメンバーズカードであることを特徴とする請求項１に記載の紙カード。
【請求項３】
前記第一紙基材の紙目と前記第二紙基材の紙目が同一方向になるように積層されていることを特徴とする請求項１または請求項２に記載の紙カード。
【発明の詳細な説明】
【技術分野】
【０００１】
本発明は、紙カードに関し、特に、コート紙からなる第一紙基材と、非コート紙からなる第二紙基材が積層されたメンバーズカード、ポイントカード、保証書等に好適に使用できる紙カードに関する。
【背景技術】
【０００２】
従来、ＩＣカード、キャッシュカード、身分証明書、運転免許書、パスポート、定期券、回数券、テレホンカ−ド、図書カード、診察カード、メンバーズカード、ポイントカード、保証書等のカードにはプラスチックや紙の基材が用いられている（例えば、特許文献１参照）。
【０００３】
プラスチック基材を用いた場合、入出力記録が管理されるＩＣチップや磁気テープ等を備えており繰り返し使用する用途には便利なものであるが、意匠性の優れた印刷が得られにくく、また、署名等をカードに施す場合には例えば筆記適性を有する機能層を付与しなければならず工程が増加するという問題がある。紙基材を用いて例えば、各会員に発行されるメンバーズカード等に用いた場合、紙基材上に会員に関する情報を記録するためのバーコードや二次元コードがプリンター印字されるがプリンター印字適性を向上させるために通常、非コート紙が使用されることが多い。しかし、非コート紙では署名等をカードに施す場合には筆記適性は得られるもののオフセット印刷等を行っても十分な印刷効果が得られず意匠性や高級感が得られにくい。一方、コート紙を用いると意匠性や高級感は得られるものの筆記適性が不十分となり、署名等を筆記しにくいという問題がある。
【先行技術文献】
【特許文献】
【０００４】
【特許文献１】特開平８−３２４１６３号公報
【発明の概要】
【発明が解決しようとする課題】
【０００５】
そこで本発明は、上記問題を解決すべくなされたものであり、その目的とするところは高級感とプリンター印字適性と筆記適性を有する紙カードを提供することにある。
【課題を解決するための手段】
【０００６】
本発明は、第一紙基材に紙基材の表面にコート層を備えたコート紙を用いて高級感を付与し、第二紙基材に非コート紙を用いてプリンター印字適性、筆記適性を付与し、これらの紙基材を積層することにより、前記機能を付与できることを見出し本発明に至った。
【０００７】
請求項１記載の本発明は、同じ大きさの第一紙基材と、第二紙基材が積層された紙カードであって、前記第一紙基材は、紙基材の表面にコート層を備え、前記コート層の表出面にオフセット印刷された固定情報を備え、前記第二紙基材は、非コート紙からなり、表出面にプリンターで印字された可変情報を備えていることを特徴とする紙カードである。
【０００８】
また、請求項２記載の本発明は、請求項１に記載の紙カードにおいて、前記第二紙基材の表出面に印字された前記可変情報がバーコード及び管理番号からなるメンバーズカードであることを特徴とするものである。
【０００９】
また、請求項３記載の本発明は、請求項１または請求項２に記載の紙カードにおいて、前記第一紙基材の紙目と前記第二紙基材の紙目が同一方向になるように積層されていることを特徴とするものである。
【発明の効果】
【００１０】
本発明のカードは、同じ大きさの第一紙基材と、第二紙基材が積層された紙カードであって、第一紙基材は、紙基材の表面にコート層を備え、前記コート層の表出面にオフセット印刷された固定情報を備え、第二紙基材は、非コート紙からなり、表出面にプリンターで印字された可変情報を備えている構成とすることにより、第一紙基材の表出面に施されたオフセット印刷により高級感を付与でき、第二紙基材にプリンター印字することにより印字適性と筆記適性と押印適性を付与できる。
【００１１】
また、第一紙基材の紙目と第二紙基材の紙目が同一方向となるように積層することにより紙カードの剛度が増し、紙カードの質感が得られ、耐久性も増す。
【図面の簡単な説明】
【００１２】
【図１】本発明に係る紙カードの一実施形態を示し、（イ）は正面図、（ロ）は背面図、（ハ）はＸ−Ｘ線断面図である。
【図２】紙カードの積層状態の分解図である。
【発明を実施するための形態】
【００１３】
上記の本発明について、図面等を用いて以下に詳述する。
図１は本発明に係る紙カードの一実施形態を示し、（イ）は正面図、（ロ）は背面図、（ハ）はＸ−Ｘ線断面図、図２は紙カードの積層状態の分解図であり、図中の１は紙カード、１０は第一紙基材、１１は紙基材、１２はコート層、１３は非コート面、１４は固定情報、１５は第一紙基材の紙目、２０は第二紙基材、２１はバーコード、２２は管理番号、２３はホテル番号、２４は可変情報、２５はポイント付与押印欄、２６は氏名記入欄、２７は第二紙基材の紙目、３０は接着剤をそれぞれ示す。
【００１４】
図１は本発明に係る紙カードの一実施形態を示し、（イ）は正面図、（ロ）は背面図、（ハ）はＸ−Ｘ線断面図であって、ホテルメンバーズカードの例を示している。図１に示すように紙カード１は、同じ大きさの第一紙基材１０と第二紙基材２０が積層された構成である。図１（イ）は紙カード１の表面を示しており、第一紙基材１０の表出面が見えている。第一紙基材１０の表出面には意匠性を高めるデザインやキャラクター・文字等のオフセット印刷された固定情報１４を備えている。
【００１５】
図１（ロ）は紙カード１の裏面を示しており、第二紙基材２０の表出面が見えている。第二紙基材２０の表出面において、下部にはバーコード２１、管理番号２２、ホテル番号２３等のプリンターで印字された可変情報２４を備えている。プリンターにはレーザープリンター等が好ましく用いられる。中央には例えば、ポイント付与押印欄２５が設けられ、上部には顧客が署名する氏名記入欄２６が設けられている。可変情報２４はホテル側で顧客のデータ等を管理するために使用されるものである。ポイント付与押印欄２５は会員の利用額や利用回数によりポイントが付与され、ポイント数により利用額の割引や優待等のサービスが受けられるものであり、図１（ロ）ではポイント確認印を６つ揃えるとサービスが受けられる例を示している。氏名記入欄２６は、例えば、ホテルで顧客がメンバーズカードの発行を受けたとき、鉛筆やボールペン等の筆記具で顧客が自筆で記入するためのものである。本発明の紙カード１は図１に限定されるものではなく、用途に応じて固定情報や可変情報は任意に設けることができ、また、それらの配置は適宜決定される。
【００１６】
図１（ハ）はＸ−Ｘ線断面図であって、第一紙基材１０は紙基材１１の表面にコート層１２を備え、紙基材１１の裏面が非コート面１３となった片面コート紙である。第二紙基材２０は非コート紙からなり、表裏両面にコートを有していない。第一紙基材１０は非コート面１３側が第二紙基材２０と接着剤３０を介して積層された構成である。つまり、本発明の紙カード１は、同じ大きさの第一紙基材１０と第二紙基材２０が積層され、表面が第一紙基材１０のコート層１２が表出しており、裏面が第二紙基材２０の非コート面が表出していることを特徴とするものであり、表面にコート層１２を備えているのでコート層１２にミラーコートないしマットコートを選択することにより優れた意匠性を付与することができ、さらにオフセット印刷を施すことにより高級感を付与でき、第二紙基材２０は非コート紙であり非コート面が表出しているのでプリンター印字すると優れた印字適性が得られる。また、非コート面であるので氏名記入欄２６は鉛筆でも容易に記入できる優れた筆記適性が得られる。さらにポイント付与押印欄２５に押印してもインクの浸透性がよいので速乾性が得られ、優れた押印適性が得られる。第一紙基材１０は片面コート紙に限定されるものではなく、両面コート紙も本願の主旨を逸脱しないので使用できるが、コストアップとなるので片面コート紙の方が好ましい。
【００１７】
第一紙基材１０と第二紙基材２０は図１（ハ）に示すように接着剤３０で全面接着されているが、剥がれたりすることがなければ、部分接着でもよい。また、第一紙基材１０と第二紙基材２０の周縁のみの接着でもよい。
【００１８】
本発明の紙カード１は、第一紙基材１０の紙目と第二紙基材２０の紙目が同一方向になるように積層することがより好ましく、紙カード１の剛度が向上し、質感が得られる。特に、紙カード１の長手方向が紙目となるように積層することがさらに好ましい。図２は紙カード１の積層状態を示す分解図であり、紙目が紙カード１の長手方向であることを示している。なお、接着剤３０は第一紙基材１０と第二紙基材２０の間に存在するが図２では省略している。図２に示すように第一紙基材１０の紙目１５と第二紙基材２０の紙目２７が同一方向に且つ紙カード１の長手方向になるように積層されている。なお、本願では、紙を抄造する際、抄き網の走行方向と平行の方向を紙目と称することとする。
【００１９】
また、紙カード１に使用する第一紙基材１０および第二紙基材２０の坪量は、それぞれ１５７ｇ／ｍ2 （四六判１３５ｋｇ）以下にすることが好ましい。そうすることにより、第一紙基材１０および第二紙基材２０は、新たな設備投資をすることなく既存のフォーム印刷機で印刷ができるので低コストで生産でき、しかも、第一紙基材１０と第二紙基材２０を積層することにより厚みのある紙カード１とすることができる。
【００２０】
本発明に係る紙カード１に使用される第一紙基材１０としては、コート紙として片面コート紙、両面コート紙が使用できる。第二紙基材２０としては、非コート紙として、上質紙、中質紙等が使用できる。第一紙基材１０、第二紙基材２０の坪量としてはそれぞれ５０〜３００ｇ／ｍ2 であり、より好ましくは１００〜１５７ｇ／ｍ2 である。また、紙カード１のサイズは、一般に（ＩＳＯ／ＩＥＣ７８１０）やＪＩＳ（ＪＩＳ６３０１） によって規定されているサイズとされる。なお、本発明ではメンバーズカードに使用した例示したが、メンバーズカードに限定されるものではなく、遊戯券、駐車券、理髪店等のサービスカード、保証書等に用いることもできる。
【符号の説明】
【００２１】
１                      紙カード
１０                    第一紙基材
１１                    紙基材
１２                    コート層
１３                    非コート面
１４                    固定情報
１５                    第一紙基材の紙目
２０                    第二紙基材
２１                    バーコード
２２                    管理番号
２３                    ホテル番号
２４                    可変情報
２５                    ポイント付与押印欄
２６                    氏名記入欄
２７                    第二紙基材の紙目
３０                    接着剤
【図１】
2017007186.tif 000003
【図２】
2017007186.tif 000004